(57)【要約】【課題】機器等を現地に設置した後においても、容易に画像の表示色を変更可能な画像表示装置を提供することを課題とする。【解決手段】エレベータ等の機器に備えられた画像表示装置２は、機器が所定の場所に設置されたのち、周囲の環境に合わせて表示色が決定される。表示色が決定されると、制御端末３の色指定部３１によって色指定情報ＢＤが生成され、画像表示装置２に送信される。画像表示装置２では、受信した色指定情報ＢＤを記憶部２２２に格納すると、画像情報ＡＤを液晶表示装置２１に表示させる際には、色指定情報ＢＤを参照し、色指定情報ＢＤにおいて指定された表示色に従って、文字や図形を表示する。【選択図】　　　　図２
2004117673.tif 000002
【特許請求の範囲】
【請求項１】
所定の機器に取り付けられて画像を表示する画像表示装置と、
前記画像表示装置とネットワークを介して接続された制御端末と、
を備え、
前記制御端末は、
前記所定の機器が所定の場所に設置された際に前記画像表示装置で表示させる画像の表示色を指定した色指定情報を送信する送信手段、
を備え、
前記画像表示装置は、
受信した色指定情報によって指定された表示色により画像を表示する手段、
を備えることを特徴とする画像表示システム。
【請求項２】
請求項１に記載の画像表示システムにおいて、
前記画像表示装置の表示する画像は、前記所定の機器の案内表示用の文字画像を含むことを特徴とする画像表示システム。
【請求項３】
請求項２に記載の画像表示システムにおいて、
前記画像表示装置は、文字部分と背景部分を識別する画像情報を保有する手段、
を備え、
前記送信手段は、
前記文字部分に対する色指定情報および前記背景部分に対する色指定情報を送信する手段、
を含むことを特徴とする画像表示システム。
【請求項４】
画像表示装置を備えた所定の機器を所定の場所に設置する工程と、
所定の者が前記所定の場所における周囲環境に合わせて前記画像表示装置において表示させる画像の表示色を決定する決定工程と、
前記所定の者が決定した表示色をオペレータに通知する工程と、
前記オペレータが制御端末を操作することにより、決定された表示色を指定した色指定情報をネットワーク経由で前記画像表示装置に送信する送信工程と、
前記画像表示装置が前記色指定情報を受信することにより、当該色指定情報によって指定された表示色により画像を表示する工程と、
を備えることを特徴とする画像表示方法。
【請求項５】
請求項４に記載の画像表示方法において、
前記画像表示装置の表示する画像は、前記所定の機器の案内表示用の文字画像を含むことを特徴とする画像表示方法。
【請求項６】
請求項５に記載の画像表示方法において、前記画像表示装置は、文字部分と背景部分を識別する画像情報を保有しており、
前記決定工程は、
前記文字部分と前記背景部分のそれぞれの表示色を決定する工程、
を含み、
前記送信工程は、
前記文字部分に対する色指定情報および前記背景部分に対する色指定情報を送信する工程、
を含むことを特徴とする画像表示方法。
【発明の詳細な説明】
【０００１】
【発明の属する技術分野】
本発明は、機器等に設けられた画像表示装置の表示色の制御方法に関する。
【０００２】
【背景技術と発明が解決しようとする課題】
ビルなどに設置されたエレベータには、各階の階数を表示するための画像表示装置（液晶表示装置など）が配置されている。この画像表示装置では、階数表示が行われる。ほかにも、上方向の矢印や下方向の矢印などの図形画像なども表示される。
【０００３】
このような画像表示装置においては、文字データに色情報が付随してＲＯＭ等のメモリに格納されている。したがって、文字データの表示色は固定となっている。このため、たとえば、現地においてエレベータ等の機器を設置した後に、表示色を変更したいという要望があっても、表示色の変更はシステムの入れ替えが必要であるため容易ではない。
【０００４】
しかしながら、画像表示装置によって表示させる画像の色は、周囲の設備のデザインなど周辺環境に応じて変更できることが望まれており、このような要望に応える必要性が生じていた。
【０００５】
そこで、本発明は前記問題点に鑑み、機器の設置後においても容易に表示色を変更可能とした画像表示装置を提供することを目的とする。
【０００６】
【課題を解決するための手段】
上記課題を解決するため、請求項１記載の発明は、所定の機器に取り付けられて画像を表示する画像表示装置と、前記画像表示装置とネットワークを介して接続された制御端末と、を備え、前記制御端末は、前記所定の機器が所定の場所に設置された際に前記画像表示装置で表示させる画像の表示色を指定した色指定情報を送信する送信手段、を備え、前記画像表示装置は、受信した色指定情報によって指定された表示色により画像を表示する手段、を備えることを特徴とする。
【０００７】
請求項２記載の発明は、請求項１に記載の画像表示システムにおいて、前記画像表示装置の表示する画像は、前記所定の機器の案内表示用の文字画像を含むことを特徴とする。
【０００８】
請求項３記載の発明は、請求項２に記載の画像表示システムにおいて、前記画像表示装置は、文字部分と背景部分を識別する画像情報を保有する手段、を備え、前記送信手段は、前記文字部分に対する色指定情報および前記背景部分に対する色指定情報を送信する手段、を含むことを特徴とする。
【０００９】
請求項４記載の発明は、画像表示装置を備えた所定の機器を所定の場所に設置する工程と、所定の者が前記所定の場所における周囲環境に合わせて前記画像表示装置において表示させる画像の表示色を決定する決定工程と、前記所定の者が決定した表示色をオペレータに通知する工程と、前記オペレータが制御端末を操作することにより、決定された表示色を指定した色指定情報をネットワーク経由で前記画像表示装置に送信する送信工程と、前記画像表示装置が前記色指定情報を受信することにより、当該色指定情報によって指定された表示色により画像を表示する工程と、を備えることを特徴とする。
【００１０】
請求項５記載の発明は、請求項４に記載の画像表示方法において、前記画像表示装置の表示する画像は、前記所定の機器の案内表示用の文字画像を含むことを特徴とする。
【００１１】
請求項６記載の発明は、請求項５に記載の画像表示方法において、前記画像表示装置は、文字部分と背景部分を識別する画像情報を保有しており、前記決定工程は、前記文字部分と前記背景部分のそれぞれの表示色を決定する工程、を含み、前記送信工程は、前記文字部分に対する色指定情報および前記背景部分に対する色指定情報を送信する工程、を含むことを特徴とする。
【００１２】
【発明の実施の形態】
以下、図面を参照しつつ本発明の実施の形態について説明する。図１は、本発明の画像表示システムをエレベータの案内表示システムに適用させた実施の形態図である。
【００１３】
エレベータ１には、案内表示用の画像表示装置２が取り付けられている。画像表示装置２は、ネットワークを介して遠隔地の制御端末３に接続されている。ネットワークは、電話回線や専用線、インターネット等を利用することが可能である。画像表示装置２は、エレベータ１の昇降動作に応じて現在の階数を表示したり、搭乗者のボタン操作に応答して上下方向の矢印図形を表示したりする。このように、画像表示装置２は、エレベータ１という機器において、搭乗者に対する案内表示用に用いられている。
【００１４】
図２は、画像表示装置２および制御端末３の機能ブロックを示す図である。
【００１５】
画像表示装置２は、液晶表示装置２１および表示コントローラ２２とを備えている。表示コントローラ２２は、表示部２２１、記憶部２２２、通信部２２３を備えている。
【００１６】
記憶部２２２には、液晶表示装置２１に表示させる文字、図形等に関する画像情報ＡＤと、それら文字、図形の表示色を指定する色指定情報ＢＤが格納されている。
【００１７】
表示部２２１は、液晶表示装置２１に表示すべき文字や図形を判断するとともに、記憶部２２２に格納されている画像情報ＡＤに基づいて液晶表示装置２１に文字や図形を表示する。また、表示部２２１が画像情報ＡＤに基づいて画像を表示する際には、色指定情報ＢＤにおいて指定された表示色に従って画像を表示する。
【００１８】
したがって、液晶表示装置２１は、色指定情報ＢＤで指定された表示色を表示可能に、多色対応の表示装置としている。本実施の形態においては、表示装置としては液晶表示装置を採用しているが、他にも多色対応の表示装置を使用することが可能である。
【００１９】
また、通信部２２３は、制御端末３との間でネットワークを介して通信を行う機能部である。通信部２２３は、制御端末３から色指定情報ＢＤを受信する。
【００２０】
画像情報ＡＤは、図３に示すように、「０」と「１」の２値からなる情報であり、たとえば、文字部分を「１」、背景部分を「０」と定義することによって、文字を画像情報として格納するようにしている。同様に、図形についても、図形部分を「１」、背景部分を「０」と定義することによって、図形を画像情報として格納するようにしている。
【００２１】
色指定情報ＢＤは、画像情報ＡＤに基づいて液晶表示装置２１に文字や図形を表示させる際の表示色を指定する情報である。上述のように、画像情報ＡＤは、「０」と「１」の２値によって、文字や図形部分と背景部分を特定する情報のみをもっており、色の情報はもっていない。したがって、色指定情報ＢＤにより表示文字、図形の色を指定するようにしている。
【００２２】
そして、色指定情報ＢＤは、文字や図形部分の表示色と、背景部分（文字や図形の描かれない部分）の表示色をそれぞれ指定するようにしている。たとえば、それぞれの表示色を２５６色（８バイト）で表した場合であれば、文字や図形部分の表示色と、背景部分の表示色の組み合わせは、２５６×２５６色となる。
【００２３】
一方、制御端末３は、色指定部３１および通信部３２を備えている。通信部３２は、色指定部３１において指定された色指定情報ＢＤを画像表示装置２に送信する機能を備えている。色指定部３１は、オペレータによる操作部３３を用いた操作が行われることによって、文字や図形部分の表示色と、背景部分の表示色とを指定する。
【００２４】
色指定部３１は、たとえば、色パレットをもち、色パレットをモニタに表示するようにし、オペレータがマウス等の操作部３３を利用して容易に色を指定できるようなユーザインタフェースを備えるようにしてもよい。
【００２５】
以上の構成のもとに、上記画像表示システムを利用した処理の流れについて説明する。
【００２６】
まず、画像表示装置２を備えたエレベータ１をビル内に設置する。このとき、表示コントローラ２２の記憶部２２２には、画像情報ＡＤが格納されている。そして、表示部２２１は、所定のプログラムに従って、適宜必要な画像情報ＡＤを取得し、液晶表示装置２１に文字や図形を表示可能な状態としている。
【００２７】
また、記憶部２２２には、初期設定として色指定情報ＢＤが格納されている。あるいは、初期状態では、色指定情報ＢＤを保有しないようにしてもよい。
【００２８】
次に、表示色の決定担当者がエレベータ１の周囲環境に合わせて画像表示装置２において表示させる画像の表示色を決定する。このとき、担当者は、文字や図形部分の表示色を決定するとともに、背景部分の表示色も決定する。
【００２９】
初期設定として色指定情報ＢＤが格納されている場合には、担当者は、初期設定で表示された画像を見ながら、周囲の設備デザインなどを考慮して所望の色を決定するようにすればよい。初期設定で色指定情報ＢＤが格納されていない場合には、担当者が決定した表示色により初期設定が行われることになる。
【００３０】
そして、表示色の決定担当者は決定した表示色を電話等で制御端末３のオペレータに通知する。オペレータは、表示色の通知を受けると、制御端末３の操作部３３を用いて表示色の指定操作を行う。これにより、色指定部３１において色指定情報ＢＤを生成され、通信部３２より色指定情報ＢＤがネットワークを介して画像表示装置２に送信される。
【００３１】
画像表示装置２では、通信部２２３において色指定情報ＢＤを受信すると、色指定情報ＢＤを記憶部２２２に格納する。これにより、表示部２２１は、文字や図形を液晶表示装置２１に表示させる際には、書き込まれた色指定情報ＢＤを参照し、色指定情報ＢＤにおいて指定された表示色により画像を表示する。この色指定情報ＢＤには、文字や図形部分の色指定情報と、背景部分の色指定情報が含まれているので、表示色の決定担当者が決定した文字色（図形色）と背景色により案内表示が行われるのである。
【００３２】
これにより表示された文字色（図形色）や背景色が周囲環境に適していないと判断した場合には、表示色の決定担当者は、制御端末３のオペレータに対して表示色の変更通知を行うようにすればよい。そして、周囲設備のデザインに適合した表示色によって画像が表示されるまで、このような作業を繰り返すようにすればよい。
【００３３】
このような手順で表示色を決定することにより、機器の設置後においても自由に表示色を変更可能である。したがって、機器の設置後に周囲の環境に合わせてデザイン面を考慮しながら画像表示装置２の表示色を決定可能である。
【００３４】
また、通信により制御端末３側から表示色を変更するようにしているので、各画像表示装置２側に、表示色変更用の操作部材等を設ける必要がなく、オペレーションを制御端末２側の１箇所に集中することができるので、メンテナンス性にも優れている。
【００３５】
本実施の形態においては、画像表示装置２を備える機器としてエレベータ１を例に説明したが、他にも、駅構内の案内表示板として本発明の画像表示装置２を利用すれば、表示色の変更が容易であり便利である。また、各種宣伝用の電光掲示板などに適用させてもよい。
【００３６】
【発明の効果】
以上説明したように、請求項１記載の発明では、画像表示装置で表示させる画像の表示色を制御端末からネットワーク経由で送信するので、画像表示装置を備えた機器を現地に設置した後であっても、表示色を自由に変更可能である。
【００３７】
請求項２記載の発明では、画像表示装置の表示する画像は、機器の案内表示用の文字画像を含むので、利用者の目に触れる案内表示用の文字色を自由に変更可能である。
【００３８】
請求項３記載の発明では、文字部分に対する色指定情報および背景部分に対する色指定情報を制御端末から送信するので、文字色と背景色を自由に変更可能である。
【００３９】
請求項４記載の発明では、画像表示装置を備えた機器を現地に設置した後、周囲環境に合わせて画像表示装置において表示させる画像の表示色を決定するとともに、決定された表示色を指定した色指定情報を制御端末からネットワーク経由で画像表示装置に送信するので、画像表示装置の表示色を周囲の環境に合わせてデザインすることが可能である。
【００４０】
請求項５記載の発明では、画像表示装置の表示する画像は、機器の案内表示用の文字画像を含むので、利用者の目に触れる案内表示用の文字色を周囲の環境に合わせて自由にデザイン可能である。
【００４１】
請求項６記載の発明では、文字部分に対する色指定情報および背景部分に対する色指定情報を制御端末から送信するので、周囲環境に合わせて文字色と背景色を自由にデザイン可能である。
【図面の簡単な説明】
【図１】画像表示システムの全体概略図である。
【図２】画像表示装置および制御端末の機能ブロック図である。
【図３】画像情報と色指定情報から文字を表示するイメージ図である。
【符号の説明】
１　　エレベータ
２　　画像表示装置
３　　制御端末
２１　液晶表示装置
ＡＤ　画像情報
ＢＤ　色指定情報
【図１】
2004117673.tif 000003
【図２】
2004117673.tif 000004
【図３】
2004117673.tif 000005